(57)【要約】【課題】ミラーケース自体をサンバイザ本体を構成するサンバイザ芯材に一体形成することによって、部品点数の少なくコスト安のサンバイザを提供する。【解決手段】ミラーユニット６を設置するためのミラーユニット設置部１１を、サンバイザ芯材１にその中空部１ａの内外を貫通する開口部１１ａを形成すると共に開口部１１ａの周辺を囲繞して中空部１ａ内に突出延在する起立壁１１ｂを一体に形成することによって構成し、起立壁１１ｂの互いに対向する両対向壁部１１ｂ−１に、それぞれ、ミラー８の外側端部を嵌合保持するミラー嵌合溝１３及びミラー用蓋体９のスライド動をガイドする蓋体スライド溝１４を形成して、サンバイザ芯材１と一体構成とした。【選択図】図２
2010269761.tif 000002
【特許請求の範囲】
【請求項１】
中空部を有する樹脂成形品により構成するサンバイザ芯材に表皮材を外装してサンバイザ本体を構成し、該サンバイザ本体に設けたミラーユニット設置部に、ミラーおよび該ミラーの鏡面を開閉するミラー用蓋体を有して構成するミラーユニットを設置し、前記ミラー用蓋体が前記表皮材と前記サンバイザ芯材との間に形成した蓋体収容部を出入りすることにより前記ミラーの鏡面を開閉するように構成したサンバイザであって、前記ミラーユニット設置部を、前記サンバイザ芯材に前記中空部の内外を貫通する開口部を形成すると共に該開口部の周辺を囲繞して前記中空部内に突出延在する起立壁を一体に形成することによって構成し、該起立壁の互いに対向する両対向壁部に、それぞれ、前記ミラーの外側端部を嵌合保持するミラー嵌合溝及び前記ミラー用蓋体のスライド動をガイドする蓋体スライド溝を形成したことを特徴とするサンバイザ。
【請求項２】
前記開口部における開口縁部にミラー枠体を嵌合設置することにより、前記ミラー用蓋体における前記開口部より表出する外延部に縁取りを施したことを特徴とする請求項１に記載のサンバイザ。
【請求項３】
前記開口部の開口縁部における棚状部に、前記表皮材を一体に延長して形成した被覆フランジ部をウェルダー溶着することにより、前記ミラー用蓋体における前記開口部より表出する外延部に縁取りを施したことを特徴とする請求項１に記載のサンバイザ。
【発明の詳細な説明】
【技術分野】
【０００１】
本発明は、車両の運転席或いは助手席の前方或いは側方から齎される太陽光や対向車の前照灯などの照射光を遮光する日除け機能を有するサンバイザ、特にミラーを備えたサンバイザに関する。
【背景技術】
【０００２】
一般に、車両、例えば自動車に用いるサンバイザは、図１に示すように、樹脂材料を成形することにより中空状に形成されたサンバイザ芯材１に表皮材２を被覆してサンバイザ本体３を構成し、サンバイザ本体３を、取付けブラケット４を介して不図示の車体に装着し、且つ、取付けブラケット４に軸承されたシャフト５を介して車体に回動可能に支承されていると共に、シャフト５に対して回動可能に支承して構成している。
【０００３】
そして、サンバイザ本体３は、その略中央部に、車内における化粧或いは身嗜みチェック等のために乗員を映し出すバニティーミラーと呼ばれているミラーユニット６を設置して構成している。
【０００４】
そこで、従来におけるサンバイザは、図４に示すように、サンバイザ本体３の一側面側に開口部１１ａを形成することによってミラーユニット設置部１１を形成し、ミラーユニット設置部１１内に断面ほぼ凹形状を呈するミラーユニットケース７を嵌合設置している。
【０００５】
ミラーユニットケース７は、その先端部に張出し形成したフランジ部７ａを開口部１１ａの開口縁部における棚状部１１ｄに懸架させて、開口部１１ａの縁取りを行っている。
【０００６】
更に、ミラーユニットケース７におけるサンバイザ本体３の長手方向に延在する両対向壁部７ｂには、互いに離間した状態で、ミラー嵌合溝７ｃおよび蓋体スライド溝７ｄが形成されている。
【０００７】
ミラー嵌合溝７ｃは、ミラーユニットケース７の底壁７ｅ側に位置して、鏡面８ａが開口部１１ａ側に向かうようにして、ミラー８を嵌合設置している。
【０００８】
蓋体スライド溝７ｄは、ミラーユニットケース７における開口部１１ａ側に位置して、ミラー８の鏡面８ａを開閉するミラー用蓋体９をスライド可能に嵌合設置している。
【０００９】
ミラー用蓋体９は、サンバイザ芯材１と表皮材２との間に形成した蓋体収納部１０（図１の波線示参照）内に収納されるように構成しており（図１の二点鎖線視状態）、この際、鏡面８ａが表出することになる（特許文献１〜特許文献３参照）。
【先行技術文献】
【特許文献】
【００１０】
【特許文献１】特開平２００１−２２５６４０号公報
【特許文献２】特開平２００２−２４０５５７号公報
【特許文献３】特開平２００６−２０５９１４号公報
【発明の概要】
【発明が解決しようとする課題】
【００１１】
上記のように構成する従来のミラーユニット付きのサンバイザは、ミラー８と共にミラー用蓋体９をサンバイザ本体３に設置するために、別体構成のミラーユニットケース７を使用するようになっている。
【００１２】
かかる結果、従来のミラーユニット付きのサンバイザにおいては、ミラー８或いはミラー用蓋体９の他に、これらを収めるミラーユニットケース７を設定している結果、サンバイザを構成する構成部品点数が多くなってしまい、その分コストアップの要因となっていた。
【００１３】
そこで、本発明は、ミラーケース自体をサンバイザ本体を構成するサンバイザ芯材に一体形成することによって、部品点数の少なくコスト安のサンバイザを提供することを目的としている。
【課題を解決するための手段】
【００１４】
本発明に係るサンバイザは、中空部を有する樹脂成形品により構成するサンバイザ芯材に表皮材を外装してサンバイザ本体を構成し、該サンバイザ本体に設けたミラーユニット設置部に、ミラーおよび該ミラーの鏡面を開閉するミラー用蓋体を有して構成するミラーユニットを設置し、前記ミラー用蓋体が前記表皮材と前記サンバイザ芯材との間に形成した蓋体収容部を出入りすることにより前記ミラーの鏡面を開閉するように構成したサンバイザであって、前記ミラーユニット設置部を、前記サンバイザ芯材に前記中空部の内外を貫通する開口部を形成すると共に該開口部の周辺を囲繞して前記中空部内に突出延在する起立壁を一体に形成することによって構成し、該起立壁の互いに対向する両対向壁部に、それぞれ、前記ミラーの外側端部を嵌合保持するミラー嵌合溝及び前記ミラー用蓋体のスライド動をガイドする蓋体スライド溝を形成したことを特徴とするものである。
【００１５】
かかる構成を有する本発明のサンバイザは、サンバイザ芯材に一体形成した起立壁における互いに対向する両対向壁に、ミラーの外端端部を嵌合保持するミラー嵌合溝及びミラー用蓋体のスライド動をガイドする蓋体スライド溝を形成することによって、ミラーユニット設置部をサンバイザ芯材に一体構成したことから、従来のように別体構成のミラーユニットケース７をミラーユニット設置部に設置する場合に比して、その分部品点数が少なくなると共に取付け工数を低減でき、結果的に、コスト低減を図ることができる。
【００１６】
また、本発明は、前記開口部の開口縁部にミラー枠体を嵌合設置することにより、前記ミラー用蓋体における前記開口部より表出する外延部に縁取りを施すことにより構成してもよい。
【００１７】
かかる構成により、ミラー用蓋体の開口部より表出した外延部がミラー枠体により縁取りされて、サンバイザの美観向上に寄与することができる。
【００１８】
また、本発明は、前記開口部の開口縁部における棚状部に、前記表皮材を一体に延長して形成した被覆フランジ部をウェルダー溶着することにより、前記ミラー用蓋体における前記開口部より表出する外延部に縁取りを施して構成してもよい。
【００１９】
かかる構成により、ミラー用蓋体における開口部より表出する外延部を表皮材に一体形成した被覆フランジ部により縁取りしたことにより、別体構成のミラー枠体を必要としないことから、サンバイザ自体の部品点数を増加することはなく、サンバイザの美観向上に寄与することができると共に、被覆フランジ部が開口部の開口縁部における棚状部に溶着されていることから、表皮材の端末処理が容易で、しかもサンバイザを長期間使用したとしても、被覆フランジ部がサンバイザ芯材１から剥離して美観を損ねるようなことを未然に防止している。
【発明の効果】
【００２０】
上記のように構成する本発明は、サンバイザ芯材に形成したミラーユニット設置部における一対の側壁部に、ミラーの外端端部を嵌合保持するミラー嵌合溝及びミラー用蓋体のスライド動をガイドする蓋体スライド溝を形成して、ミラーケースをサンバイザ芯材にて一体構成にしたことにより、従来のようにミラーケースを別体構成にする場合に比して、その分部品点数が少なくなると共に取付け工数を低減でき、結果的に、コスト低減を図ることができる。
【図面の簡単な説明】
【００２１】
【図１】一般的なミラーユニット付きサンバイザの平面図である。
【図２】本発明に係る実施例１を採用した場合の図１におけるＡ−Ａ断面図である。
【図３】本発明に係る実施例２を採用した場合の図１におけるＡ−Ａ断面図である。
【図４】従来におけるミラーユニット付きサンバイザの図１におけるＡ−Ａ断面図である。
【発明を実施するための形態】
【００２２】
本発明は、ミラーケース自体がサンバイザ本体を構成するサンバイザ芯材に一体形成されることによって、部品点数及び取付け工数の少ないコスト安のサンバイザを提供するものである。
【実施例１】
【００２３】
次に、本発明に係る実施例１について、図１および図２を用いて説明する。
【００２４】
図１において、車両、例えば自動車に用いるサンバイザは、ＰＰ樹脂等の樹脂材料を成形することにより中空部１ａ（図２参照）を有して形成されたサンバイザ芯材１に表皮材２を被覆することによりサンバイザ本体３を有して構成しており、サンバイザ本体３を取付けブラケット４を介して不図示の車体に装着し、且つ、取付けブラケット４に軸承されたシャフト５を介して車体にサンバイザ本体３を回動可能に支承していると共に、サンバイザ本体３をシャフト５に対して回動可能に支承することによって構成している。
【００２５】
更に、サンバイザ本体３は、その略中央部に、車内における化粧或いは身嗜みチェック等のために乗員を映し出すバニティーミラーと呼ばれているミラーユニット６を設置して構成している。
【００２６】
図２に示すように、ミラーユニット６は、乗員を映し出すミラー８及びミラー８の鏡面８ａを開閉するミラー用蓋体９を有して構成しており、ミラーユニット６を設置するために、サンバイザ芯材１に一体形成のミラーユニット設置部１１を設けている。
【００２７】
即ち、ミラーユニット設置部１１を設けるために、サンバイザ芯材１は、その一側面壁に、表皮材２と共に中空部１ａの内外を貫通する開口部１１ａを形成し、且つ、開口部１１ａの周辺部を囲繞して中空部１ａ内に突出延在する起立壁１１ｂを一体に形成することによって構成し、起立壁１１ｂの互いに対向する両対向壁部１１ｂ−１には、それぞれミラー８の外側端部を嵌合保持するミラー嵌合溝１３及びミラー用蓋体９のスライド動をガイドする蓋体スライド溝１４を形成している。
【００２８】
従って、ミラーユニット設置部１１は、ミラー嵌合溝１３及び蓋体スライド溝１４が形成された起立壁１１ｂをサンバイザ芯材１に一体に形成することによって、中空部１ａ内において起立壁１１ｂによって区画された収容部１１ｃを形成して、開口部１１ａと共に、構成していることになる。
【００２９】
そして、起立壁１１ｂの両対向壁部１１ｂ−１において、蓋体スライド溝１４は、開口部１１ａ側に位置して、ミラー用蓋体９をスライド可能に嵌合設置しており、ミラー嵌合溝１３は、蓋体スライド溝１４に対して中空部１ａの内方側に位置して、ミラー８を嵌合設置しており、この際、ミラー８の鏡面８ａは、開口部１１ａ側に面することになる。
【００３０】
更に、ミラー用蓋体９は、サンバイザ芯材１と表皮材２との間に形成した蓋体収納部１０（図１の破線示参照）内に収納されるように構成しており（図１の二点鎖線視状態）、ミラー用蓋体９の収納時に鏡面８ａが外部に表出するようになっている。
【００３１】
かかるミラー用蓋体９のスライド動を容易にするために、ミラー用蓋体９は、凹状の取っ手部９ａを有して構成している。
【００３２】
ミラーユニット設置部１１の開口部１１ａの開口縁部は、ミラー枠体１２を嵌合設置して、ミラー用蓋体９の外延部に縁取りを施している。
【００３３】
かかるミラー枠体１２は、断面逆Ｌ字状に形成され、一側辺部１２ａがミラーユニット設置部１１の開口部１１ａの開口縁部における棚状部１１ｄ上に載置した状態で、他側辺部１２ｂが起立壁１１ｂの内周部に嵌合することによって、ミラーユニット設置部１１に設置されている。この際、他側辺部１２ｂは、ミラー用蓋体９における開口部１１ａから表出している外延部に縁取りを施しているのである。
【００３４】
以上のように構成する本発明の第１の実施例においては、サンバイザ芯材１に一体形成した起立壁１１ｂにおける互いに対向する両対向壁部１１ｂ−１に、ミラー８の外端端部を嵌合保持するミラー嵌合溝１３及びミラー用蓋体９のスライド動をガイドする蓋体スライド溝１４を形成することによって、ミラーユニット設置部１１をサンバイザ芯材１に一体構成したことから、従来のように別体構成のミラーユニットケース７をミラーユニット設置部１１に設置する場合に比して、その分部品点数が少なくなると共に取付け工数を低減でき、結果的に、コスト低減を図ることができる。
【００３５】
また、ミラーユニット設置部１１の開口部１１ａにおける開口縁部にミラー枠体１２を嵌合設置することにより、ミラー用蓋体９における開口部１１ａより表出する外延部に縁取りを施していることから、ミラー用蓋体９の開口部１１ａより表出した外延部がミラー枠体１２により縁取りされて、サンバイザ全体の美観向上に寄与することができる。
【実施例２】
【００３６】
次に、図３を用いて、本発明に係る実施例２を説明する。
【００３７】
かかる実施例２においては、上記実施例２に比較して、別体構成のミラー枠体に代えて、ミラーユニット設置部１１の開口部１１ａの開口縁部における棚状部１１ｄに、表皮材２の端末から一体に延長して形成した被覆フランジ部１５をウェルダー溶着して構成し、ミラー用蓋体９における開口部１１ａより表出する外延部を縁取りした点、相違する。
【００３８】
かかる構成により、ミラー用蓋体９における開口部１１ａより表出する外延部を表皮材２に一体形成した被覆フランジ部１５により縁取りしたことにより、上記のような別体構成のミラー枠体１２によりサンバイザ自体の部品点数を増加することはなく、サンバイザの美観向上に寄与することができると共に、被覆フランジ部１５が開口部１１ａの開口縁部における棚状部１１ｄに溶着されていることから、表皮材２の端末処理が容易で、しかもサンバイザを長期間使用したとしても、被覆フランジ部１５がサンバイザ芯材１から剥離して美観を損ねるようなことを未然に防止している。
【産業上の利用可能性】
【００３９】
以上説明したように、本発明は、サンバイザ芯材に一体形成した起立壁における互いに対向する両対向壁に、ミラーの外端端部を嵌合保持するミラー嵌合溝及びミラー用蓋体のスライド動をガイドする蓋体スライド溝を形成することによって、ミラーユニット設置部をサンバイザ芯材に一体構成したことから、従来のように別体構成のミラーユニットケース７をミラーユニット設置部に設置する場合に比して、その分部品点数が少なくなると共に取付け工数を低減でき、結果的に、コスト低減を図ることができることから、車両の運転席或いは助手席の前方或いは側方から齎される太陽光や対向車の前照灯などの照射光を遮光する日除け機能を有するサンバイザ、特にミラーを備えたサンバイザ等に好適である。
【符号の説明】
【００４０】
１          サンバイザ芯材
１ａ        中空部
２          表皮材
３          サンバイザ本体
９          ミラー用蓋体
１１        ミラーユニット設置部
１１ａ      開口部
１１ｂ      起立壁
１１ｂ−１  対向壁部
１１ｃ      収容部
１１ｄ      棚状部
１２        ミラー枠体
１３        ミラー嵌合溝
１４        蓋体スライド溝
１５        被覆フランジ部
【図１】
2010269761.tif 000003
【図２】
2010269761.tif 000004
【図３】
2010269761.tif 000005
【図４】
2010269761.tif 000006